(57)【要約】      （修正有）【課題】従来のビニールハウスは多数の部品を組み立てるのにも細かく分かれている為に一般の人では時間を要し、部品の組み立てる位置が分らず困難である。【解決手段】骨組みの構造は各ブロックに分れ、各ブロックは障子に類似した形態であり、壁２、屋根３とそれぞれのブロックとなり、これを組み合わせることで骨組みができ、各ブロックの固定する部分は蝶ネジ４を使用し、最後にビニールカバーを掛ける。ハウスの出入口は開閉が自由なチャツクを両面に取り付けて家庭菜園ミニビニールハウスとする。【選択図】図１
2010081929.tif 000002
【特許請求の範囲】
【請求項１】
本発明品は障子に類似した形態で、各ブロックに分かれ、それを組み合わせることで、ビニールハウスの骨組みが完成することを特徴とする家庭菜園ミニビニールハウス。
【請求項２】
各ブロックごとに分かれてる物を組み合わせて、骨組みの完成で、両側面と屋根の部分の４組のブロックよりなり、各ブロックの縁は繋ぎ合わせ蝶ネジで固定する為に幅約３０ｍｍ厚み１５ｍｍとしてその中の支軸は細めに構成したものを特徴とする家庭菜園ミニビニールハウス。
【請求項３】
各ブロックの組み合わせで骨組みが完成したところで、ビニールカバーをかけ、ビニールの入り口の部分と対面する面は両方を入り口に使えるのが使用する場所により便利で開閉を自由にし、開閉はチャックを使用したものを特徴とする家庭菜園ミニビニールハウス。
【発明の詳細な説明】
【技術分野】
【０００１】本発明品は家庭菜園用としての発明したもので、小型で軽量で家庭の庭の一部又共同住宅のベランダーの一部で野菜や花の栽培を目的したもので、例えば障子に類似したような構造でそれを一つのブロックとして図１のように壁の部分、屋根の部分に区別した物を組み立た構造で、それをサイズに合わせたビニールのカバーで包む、ビニールカバーには入り口の面と対面する反対の面はチャックにて開閉できるようにした。
【背景の技術】
【０００２】従来のビニールハウスは多数の部品を組み立てるのにも細かく分かれている為に一般の人では時間を要し、部品の組み立てる位置が分らず困難であるが、発明品は加工されたブロックを図１のように繋ぎ合わせるだけで出来るので簡単で時間も要せず、組み立てたハウスも簡単に移動ができる。各ブロックの繋ぎは蝶ネジ止めで手で締めて固定できる但し蝶ネジの頭がビニールに触れないよう充分に注意した構造にした。
【発明の関係】
【０００３】本発明品はマンションのベランダーの片隅でも設置でき移動も簡単であり、家庭で野菜及び花の栽培もできるので家庭の団欒にも貢献でき経済的でもある。
【課題を解決する為の手段】
【０００４】本発明品は金属又は硬質で耐熱性合成樹脂を材用とするがこの場合はコストの安価な硬質な耐熱性合成樹脂を材料として、各ブロックの縁は蝶ネジ止めのために幅は約３０ｍｍ厚み１５ｍｍとし中の桟は細めにして日当たりも良くし、外カバー、ビニールは入り口と反対の面は開閉が自由に出来るようにチャックを使用した。
【発明の効果】
【０００５】本発明品は住宅内及びマンションのベランダなどの狭い場所に施置でき、組み立ても各ブロックを繋ぎ合わせるだけで簡単で、移動も自由であり、家庭の野菜栽培と花作りができることは、家庭経済には大きな助けとなり、越冬ようとして鉢植えの花の保存もできる家庭菜園用ビニールハウス。
【発明を実施するための最良の形態】
【０００６】本発明品は硬質で耐熱性合成樹脂を資材としたので、金属のような錆もなく耐久性で各ブロックの組合わせは作業も簡単で、軽くて移動も自由にでき、図２のようにハウスを包むビニールのカバーの入り口と対面する面にはチャツクで開閉ができようにしたので両面を入り口として使用もでき特に狭い所に施置ができるので利用価値は大きいものがある。
【実施例】
【０００７】本発明品は特に狭い場所でも菜園として使用できるために発明したもので、形は、小、中、大と分かれるが最も使用可能なハウスとしては間口８００ｍｍ、奥行き１０００ｍｍ、高さ１０００ｍｍ、その上の屋根の部分は両面を合わせ、各フチの合わせる部分は図１のように蝶ネジで固定して組み立てるように発明した。
【産業上の利用可能性】
【０００８】本発明品が有れば家庭の何所でも野菜、花作りができ、野菜は朝夕の食卓が楽しめて経済的にも貢献できて産業上の利用可能性も大きい。
【図面の簡単な説明】
【０００９】
【図１】  本発明の本体図
【図２】  本発明の本体を包むビニールカバー
【符号の説明】
【０００１０】  １    本体
２    側面ブロック桟
３    屋根ブロック桟
４    蝶ネジ
５    両サイド固定板
６    ビニールカバー
７    開閉チャック
８    カバー止用紐
【図１】
2010081929.tif 000003
【図２】
2010081929.tif 000004
【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
本発明品は障子に類似した形態で、各ブロックに分れそれを組み合わせ図１のように各縁の合わせる部分を横ネジで止めて、自由に開閉が出来るように組合わせた事を特徴とする家庭菜園折畳式ミニビニールハウス。
【請求項２】
各ブロックごとに分かれてる物を組み合わせて、骨組みの完成したところで、ビニールカバーを掛け、ビニールの入り口と対面する面も入り口として使用できるようにして、ビニールカバーの入り口の開閉は上から下にチャックを締める事を特徴とする家庭菜園折畳式ミニービニールハウス。
【手続補正２】
【補正対象書類名】明細書
【補正対象項目名】全文
【補正方法】変更
【補正の内容】
【発明の詳細な説明】
【技術分野】
【０００１】本発明品は家庭菜園用としての発明品で、小型で軽量で家庭の庭の一部又は共同住宅のベランダーの一部に施置して、野菜、花の栽培を目的としたもので、例えば障子に類似した構造で、各ブロックに分れた物を図１のように組み立て、それをビニールカバーで包み、ビニールカバーには入り口の面と対面する面も入り口としてチャツクで開閉が出来るようにした。
【背景の技術】
【０００２】従来のビニールハウスは多数の部品を組みたてるので実に面倒であり、一般の人では時間を要し、困難であるが、発明品は加工されたブロックが折畳式にセットされているので簡単に誰でも必要な所に設置できるようにした。
【発明の関係】
【０００３】本発明品はマンションのベランダの片隅でも設置でき移動も簡単であり、家庭で野菜及び花の栽培もできるので家庭の団欒にも貢献でき経済的でもある。
【課題を解決する為の手段】
【０００４】本発明品は金属又は硬質で耐熱性合成樹脂を材用とするが軽量で長持ちのするものとしては軽量な金属を材用とし、各ブロックの縁の繋ぎ目は図１に示したように横ネジ止めとし開閉ができるようにし、組み立てた各ブロックをより固定するために入り口と対面する面に図１のように上下４箇所に固定板で固定し、外カバー、ビニールには入り口と反対の面は開閉をしやすくする為にチャックを使用し、チャック止は上部より下に閉じるようにした。
【発明の効果】
【０００５】本発明品は住宅内及びマンションのベランダなど狭い場所に設置でき、折畳式で組み立ても簡単で、移動も自由であり、家庭の野菜栽培と花作りが出来ることは、家庭経済には大きな助けとなり、越冬用として鉢植えなど花の保存もできる家庭菜園折畳式ミニビニールハウスである。
【発明を実施するための最良の形態】
【０００６】本発明品は硬質で耐熱性合成樹脂及び金属で錆びないものを材用にできるが、材質は軽く移動も簡単な物としては軽金属が耐久性に富み適している。又図３のようにハウスを包むビニールカバーの入り口と対面する面にはチャックを使用し開閉は上より下に閉じるように両面を入り口としたことで、狭いベランダなどで使用も出来て利用価値は大きいものがある。
【実施例】
【０００７】本発明品は特に狭い場所で菜園と使用できるように発明したもので、形は、小、中、大としたが最も使用可能なハウスとしては小型で間口８００ｍｍ、奥行き１０００ｍｍ、高さ１０００ｍｍとしてベランダなどで風の抵抗できるように発明した。
【産業上の利用可能性】
【０００８】本発明品があれば家庭の何所でも野菜、花作りができ、野菜は朝夕の食卓が楽しめて経済的にも貢献でき産業上の利用価値も大きい。
【図面の簡単な説明】
【０００９】
【図１】  本発明の本体図
【図２】  本発明の折畳図
【図３】  本発明の本体を包むビニールカバー
【符号の説明】
【００１０】１  本体
２  側面ブロック桟
３  屋根ブロック桟
４  横ネジ
５  両サイド固定板
６  折畳式略図
７  ビニールカバー
８  開閉チャック
９  カバー止用紐
【手続補正３】
【補正対象書類名】図面
【補正対象項目名】全図
【補正方法】変更
【補正の内容】
【図１】
2010081929.tif 000005
【図２】
2010081929.tif 000006
【図３】
2010081929.tif 000007